(57)【要約】【課題】  ダイレクトメールとして適用された場合等において返信率の向上を図ることのできるこの種のメールフォームを提供する。【解決手段】  第１の帳票部１１、第２の帳票部１２、第３の帳票部１３、及び、第４の帳票部１４でなる複数の帳票部が一方向に夫々折り曲げ予定線１０ｄ，１０ｄを境界にして連接されて往信用帳票部１０が形成され、第１の帳票部１１に連接してフラップ部１１ｆが形成され、第４の帳票部１４の端縁部に設定された接続部でこの往信用帳票部１０に対応する返信用帳票部２０が接続されており、この接続部での折り曲げ習性は、他の折り曲げ予定線１０ｄ，１０ｄでの折り曲げ習性に比し相対的に強くされている。【選択図】  図１
2006062315.tif 000002
【特許請求の範囲】
【請求項１】
表面側が往信用封筒の外表面として用いられ裏面側が往信情報記載面として用いられるようになされた先頭の第１の帳票部と該第１の帳票部に折り曲げ予定線を境界にして連接する第２の帳票部、並びに、該第２の帳票部に折り曲げ予定線を境界にして連接する第３の帳票部とを少なくとも含む複数の帳票部が夫々折り曲げ予定線を境界にして一方向に連接されて形成された往信用帳票部と、該往信用帳票部の前記第３の帳票部以降の一又は複数の帳票部の縁部に設定された接続部で接続された返信用帳票部とを有し、前記接続部は、前記往信用帳票部を展開状態にしたときに前記返信用帳票部が前記往信用帳票部の表面側に重なるように当該往信用帳票部と返信用帳票部とを接続していることを特徴とするメールフォーム。
【請求項２】
前記往信用帳票部と前記返信用帳票部とは、当初は別体であり、前記接続部は、前記往信用帳票部の表面側の端縁に前記返信用帳票部の該当する端縁側を接着によって接続するものであることを特徴とする請求項１に記載のメールフォーム。
【請求項３】
前記返信用帳票部は、前記接続部近傍に自己の端縁に平行な切り取り線が設定されていることを特徴とする請求項１〜２のいずれか一項に記載のメールフォーム。
【請求項４】
前記返信用帳票部は、前記接続部とは所定距離離隔した部位が前記往信用帳票部表面の対応部位に剥離可能に弱粘着されていることを特徴とする請求項１〜３のいずれか一項に記載のメールフォーム。
【請求項５】
前記往信用帳票部は、前記第３の帳票部に連接する第４の帳票部を更に有し、前記接続部が、該第４の帳票部に設定されていることを特徴とする請求項１〜４のいずれか一項に記載のメールフォーム。
【請求項６】
前記返信用帳票部は、一面側が返信用封筒の外表面として用いられ他面側が返信情報記載面として用いられる帳票部を複数連接して構成されていることを特徴とする請求項１〜５のいずれか一項に記載のメールフォーム。
【請求項７】
前記第１の帳票部は、前記第２の帳票部とは反対側の端縁に沿ってフラップ部が形成されていることを特徴とする請求項１〜６のいずれか一項に記載のメールフォーム。
【請求項８】
前記往信用帳票部及び前記返信用帳票部は、当該折り曲げ予定線で折り曲げられた帳票部同士を貼り付けるために折り曲げ予定線に直交する方向に延びる両側縁部に沿って帯状に各延長して設定された両接着領域と、該両接着領域に沿う内側の位置に延長するようにして形成された切り取りミシン目と、を有していることを特徴とする請求項１〜７のいずれか一項に記載のメールフォーム。
【請求項９】
往信用封筒の外表面として後に折り返されて用いることが予定された先頭の第１の帳票部と該第１の帳票部に連接する第２の帳票部、並びに、該第２の帳票部に連接する第３の帳票部とを少なくとも含む複数の帳票部が夫々折り曲げ予定線を境界にして一方向に連接されて形成される往信用帳票部として加工されるに適合する第１種のシート状体の供給を受け、前記第１種のシート状体の表面側には前記第１の帳票部及び第２の帳票部によって構成される一連の領域の所定部に往信用封筒外面となる印刷を施し、更に、前記第１種のシート状体の裏面側には往信情報記載面としての印刷を施す第１系統の印刷処理部と、
返信用帳票部として加工されるに適合する第２種のシート状体の供給を受け、前記第２種のシート状体の一面側には返信用封筒の外表面となる印刷を施し、更に、前記第２種のシート状体の他面側には返信情報記載面としての印刷を施す第２系統の印刷処理部と、
前記第１系統の印刷処理部で印刷が施された前記第１のシート状体表面側と前記第２系統の印刷処理部で印刷が施された前記第２のシート状体とが対面して重なるように、前記第１のシート状体表面側の前記第３の帳票部以降の帳票部をなす領域の所定の周辺近傍部と前記第２のシート状体の所定の周辺近傍部とを貼着する貼着処理部と、
を含んで構成されていることを特徴とするメールフォーム加工装置。
【請求項１０】
往信用封筒の外表面として後に折り返されて用いることが予定された先頭の第１の帳票部と該第１の帳票部に連接する第２の帳票部、並びに、該第２の帳票部に連接する第３の帳票部とを少なくとも含む複数の帳票部が夫々折り曲げ予定線を境界にして一方向に連接されて形成される往信用帳票部として加工されるに適合する第１領域と、該第１領域の前記第３の帳票部以降の一又は複数の帳票部に連接されて形成され且つ返信用帳票部として加工されるに適合する第２領域とを備えたシート状体の供給を受け、前記第１領域の前記第１の帳票部及び第２の帳票部によって構成される一連の領域の表面側に往信用封筒外面となる印刷を施し、前記第１領域の裏面側に往信情報記載面としての印刷を施し、前記第２領域の一面側に返信用封筒の外表面となる印刷を施し且つ他面側に返信情報記載面としての印刷を施す印刷処理部と、
前記印刷処理部で印刷が施されたシート状体を前記返信用帳票部が前記往信用帳票部の表面側に重なるように前記第１領域と第２領域とを両領域の境界で折り返し該折り返された部位に折り曲げ習性を付与する折り曲げ処理部と、
を含んで構成されていることを特徴とするメールフォーム加工装置。
【発明の詳細な説明】
【技術分野】
【０００１】
本発明は、複数の帳票部が折り曲げ予定線を境界にして折り曲げ可能に連接されて往信用帳票部及び返信用帳票部を形成し、各折り曲げ予定線で折り曲げることにより折り畳まれた状態で往信用帳票部が往信用封書の封筒を形成し得るようになされたメールフォーム及びメールフォーム加工装置に関するものであり、ダイレクトメール等に適用して特に好適なものである。
【背景技術】
【０００２】
各企業が顧客とのコミュニケーションをより深く図り、付加価値の高いサービスをいかに提供するかを重要な課題として捉え、各企業から顧客に対して発行される親展性の高い金融商品の満期や更新の通知のメールや、新商品の紹介などのダイレクトメール等のメールフォームを工夫するといったことは夙に知られている。しかし、親展性のある通知に加えて、新商品のパンフレット等を同封しても、受取人にとって興味がなかったり、内容物に一貫性がなく、そのまま捨てられる可能性が高いという課題があった。
【０００３】
このため、情報の提供や交換が効率よく行える連続フォームを適用することが提案されている。このような提案の一例としては、単位フォームを長さ方向に所定枚数連接した単位フォーム群が、幅方向に形成された折り曲げ予定線を介して、単位フォームごとに折り畳み可能な連続フォームを形成し、この単位フォーム群の先頭又は末尾の単位フォームに、宛名情報を記載する宛名情報記載領域を設けた構成とるものがある。
【０００４】
この提案の更に具体的な一例では、差別化された情報・サービスの提供や各種申込の促進を図るべく、単位フォームを長さ方向に所定枚数連接した単位フォーム群が、幅方向に形成された折り曲げ予定線を介して、単位フォームごとに折り畳み可能な連続フォームにおいて、例えば、先頭の単位フォームに宛名情報記載領域が設けられ、この単位フォームの一部及びこれに続く二つの単位フォームに跨って請求総額や当月の利用明細、ローンの返済明細などの利用明細領域が形成されている。更に、これらに後続する二つの単位フォームに跨って、紹介票領域が設けられ、更に後続する単位フォームには、ギフトカード、定期講読誌、オプションサービス、生損保商品などの各種申込や資料請求などの申込・請求領域、即ち、返信用領域が設けられる（特許文献１参照）。
【０００５】
また一方、少量から大量まで任意の量の情報を隠蔽して送りとどけることができ、メールフォームとしての製造加工が容易でコストが安く、宛て名と返信用封筒の差出人、申込欄に申込人の住所、氏名等を一度に出力印字しておくことにより、申込人は必要最低限の事項を記入して、これを返信用封筒として用いれば直ちに投函でき、また、開封は容易で、ゴミの発生がなく、開封すると印刷情報が枚葉紙と同じような状態で一覧できる様式の封筒内封型折り重ねフォームを提供しようとする提案もされている。
【０００６】
この提案では、複数の帳票片が折りミシン目を介して連接され、該折りミシン目で交互に反対方向に折り返されて加圧、剥離可能に粘着されて封止されるメールフォームにおいて、該折りミシン目で折り返されて対向する所定の２片の帳票片の所定位置を剥離不能に粘着して、返信用封筒を形成するというものであり、また、前記２片の帳票片のいずれか一方に連接する帳票片に、外周に形成されたミシン目によって該帳票片から分離可能なフラップ部を形成するというものである（特許文献２参照）。
【０００７】
更にまた、各種商品の供給及び需要形態の多様化に伴い、写真又は印刷文等による商品情報等を記載したダイレクトメールを個人又は企業に直送することによる商品の販売が急増している折、低コストで製造できるとともに、大量の情報を内封することができる封筒体を提供することを目的とした封筒体が提案されている。
この提案による封筒体の一例は、封緘部（フラップ部）と、第一の封筒用紙と、第二の封筒用紙とからなり、第二の封筒用紙は、第三の封筒用紙と、第四の封筒用紙と、第五の封筒用紙と、返信用封筒の封緘部（フラップ部）とからなり、第四及び第五の封筒用紙並びに封緘部（フラップ部）により、既に書要部が糊付けされた返信用封筒が形成される。この場合、第一の封筒用紙と第三の封筒用紙との双方の裏面側が「商品申込書」等の返信メッセージ欄として用いられるようになされている。宛名及び自己の氏名住所等は予め印刷しておくため、受取人は、返信用封筒を組み立てたり、宛名及び自己の氏名住所等を記載する手間がなくなり、簡便に返信用封筒を発送することができるので、ダイレクトメールの返送率を向上することができるとされている（特許文献３参照）。
【０００８】
また、封書を封書受取人が開いたのちに、この封書を形成しているシートの一部を利用して、封書受取人が返信事項などの情報を簡単に隠蔽した状態で返信できるようにすると共に返信事項などの情報の保護を図ることを目的とした折り畳み封書用シートも既に提案されている。
この提案による折り畳み封書用シートは、シート本体が縦折り部と横折り部とにより少なくとも四面に区分され、横折り部から横折りで畳んだ後に縦折り部から縦に巻き折り可能になされ、この巻き折りの終端に位置するシート面を封書上紙とし且つここに縦折り部を介して連接されたシート面を封書下紙とし、前記縦折り部と横折り部とで区切られたシート面の内、縦折り部又は横折り部を介して隣り合う一対のシート面が連続してなる返信封書用紙が、この返信封書用紙の辺部に沿って穿設された切り取り用ミシン目から分離可能に設けられ、返信封書用紙の中央の折り部からこの返信封書用紙を折り合わせた時の内方となる側に返信事項記載部が位置し且つ外方となる側に返信宛名情報が設けられ、この返信封書用紙の中央の折り部から折り合わせた時に相対する該返信封書用紙の辺部に接着手段が予め設けられている。
【０００９】
上述の折り畳み封書用シートでは、シート本体から分離した返信封書用紙を折り畳むという簡単な操作で返信封書が得られるとともに、その折り畳みによって返信封書用紙の返信事項記載部に記載した情報を隠蔽でき、また、返信封書の送付過程で第三者の目に晒すことが無く、この返信封書の差出人の心理的な抵抗を解消してプライバシーの保護に寄与でき、更に、返信封書用紙に直接返信事項などの情報を記載するため、返信封書用紙を有効に利用するものとなり、別途に用紙を用意して折り畳み封書送付時に同封させるなどの必要がないため、折り畳み封書の作成が簡単になるなど、実用性に優れた効果を奏するものであるとされている（特許文献４参照）。
【特許文献１】特開平０６−００８６７４号公報（段落０００４〜段落０００５、段落００２６〜段落００２７、図８）
【特許文献２】特開平０７−３０４２８５号公報（段落００１１〜段落００１２、段落００１４〜段落００１９、図１）
【特許文献３】特開平１１−１０５８８３号公報（段落０００４〜段落０００７、段落００３４〜段落００３５、段落０００４０、図５、図６）
【特許文献４】特開２００２−０４６３７７号公報（段落０００３〜０００４、段落００１９、図１）
【発明の開示】
【発明が解決しようとする課題】
【００１０】
上述した従来の技術は次に述べるような種々の課題を残している。
即ち、特許文献１に開示された提案では、名宛人への情報を集約し、情報の提供や交換を効率よく行うといった所期の効果を奏するものと見込まれるが、ギフトカード、定期講読誌、オプションサービス、生損保商品などの各種申込や資料請求などの申込・請求領域に顧客が返信メッセージを記載しても、それを別途に準備した封筒に格納して返信しなくてはならないといった煩雑さは避けられないため、ダイレクトメールの返信率が阻害されてしまう虞がある。
【００１１】
仮に、当該領域を封筒のサイズに適合するものとしてその裏面を返信用宛名欄として使用するようにした場合には、個人情報に関するプライバシーの保護が図れないことになってしまう。尚、複数の単位フォームに跨る大きな領域に情報を印刷することで受信人に相応の興味を喚起させることを期しているが、後に詳述する、この興味を返信率の向上に繋げるための留意点については別段の課題認識がない。
【００１２】
一方、特許文献２に開示の提案では、折りミシン目で折り返されて対向する所定の２片の帳票片の所定位置を剥離不能に粘着して、返信用封筒を形成するものであるため、返信用封筒を別途に準備しなくてはならないといった煩雑さは解消する。また、返信は封書で行うものであるから、返信内容に関するプライバシーの保護が図られ得る。しかしながら、ダイレクトメール等に適用して、受信人の興味を喚起し返信率を向上させようとするための工夫については何等確たる提案がなされていない。
【００１３】
一方、特許文献３に開示の提案でも、返信用封筒を別途に準備しなくてはならないといった煩雑さは解消することになる。返信も封書であるから返信内容に関するプライバシーの保護が図られ得る。しかしながら、「商品申込書」等の返信メッセージ欄は往信時に往信用封筒として用いられるシート部の裏面がこれに当てられるものであることから、本来の返信メッセージとは関係のない往信情報までもが一緒に返信されてしまう不都合が原理上不可否であり、この返信状の受信人側での処理に間違いを誘発する虞もある。
【００１４】
尚、返信に際しての顧客側での宛て先や発信人など所定事項の記入作業の煩雑さから顧客を開放することによってダイレクトメール等に適用した場合における返信率の向上を期そうとしているが、この提案例の場合も、後に詳述するように、近年になって判明しつつあるような大きな問題が内在している。
更にまた、特許文献４に開示の提案では、返信用封筒を別途に準備したり、別紙のメッセージシートを返信用封筒に入れなくてはならないといった煩雑さは解消し、且つ、返信内容に関するプライバシーの保護も図られ得る。しかしながら、返信時のプライバシーの保護に関する懸念を払拭したとはいえ、ダイレクトメールの返信率の阻害要因を分析して返信率を向上させるための工夫については何等確たる提案がなされていない。
【００１５】
上記の各例について述べたとおり、従来一般的には、ダイレクトメールで対象者にメッセージを送るに際しては、複数の単位フォームに跨る大きな領域に一の情報を大書したり図表を伴った表記方法を採るなどして受信人に相応の興味を喚起させる工夫がなされ、或いはまた、返信時の手間が極力省かれ得るようにして、手軽さに訴えて返信を促すような方策が採られてきた。しかしながら、このようにして興味を喚起させ、或いはダイレクトメールの受信者側での手間を省いたとしても、それが直ちに、最も肝要である返信率の向上に繋がるとは限らず、返信率と相関の高い因子として注目すべき事象はどのようなことであるのかは不明であった。
【００１６】
本発明は、上述したような従来技術における課題並びに近年における斯界の状況に着目してなされたものであり、ダイレクトメールとして適用された場合等において返信率の向上を図ることのできるこの種のメールフォーム及びメールフォーム加工装置を提供することを目的としている。
【課題を解決するための手段】
【００１７】
発明者は、種々考究の結果、ダイレクトメールを、専ら新商品の紹介や保険の勧誘に関する情報を送るための書状といった形にせず、見掛け上は顧客に対して発行される親展性の高い金融商品の満期や更新の通知といった形式をとり、この通知書の部分に付帯する形で新商品の紹介や保険の勧誘の情報をも提供するように工夫をしても、従来のように、限られたシート面に情報を効率よく表記することを優先して、新商品の紹介や保険の勧誘の説明部分と同一面内に申込書となる返信情報部分までもが、容易に一覧的に展開されて視認可能にされてしまうと、受取人側では申し込みを強要されるような心理が働いて、内容を確認するまでもなく直ちに廃棄してしまう可能性が高いということに気付くに到った。
【００１８】
換言すれば、ダイレクトメールとしての新商品の紹介や保険の勧誘等の案内情報の表記面とそれらの申込書となる返信情報面とが容易に一覧的に展開されて視認され得ない状態をとり得るか否かが、そのダイレクトメールの返信率と極めて相関の高い因子として注目すべき事象であると考えられる。
上述のような視点に立脚して、上記課題を解決するべく、本願では次に列記するような技術を提案する。
（１）表面側が往信用封筒の外表面として用いられ裏面側が往信情報記載面として用いられるようになされた先頭の第１の帳票部と該第１の帳票部に折り曲げ予定線を境界にして連接する第２の帳票部、並びに、該第２の帳票部に折り曲げ予定線を境界にして連接する第３の帳票部とを少なくとも含む複数の帳票部が夫々折り曲げ予定線を境界にして一方向に連接されて形成された往信用帳票部と、該往信用帳票部の前記第３の帳票部以降の一又は複数の帳票部の縁部に設定された接続部で接続された返信用帳票部とを有し、前記接続部は、前記往信用帳票部を展開状態にしたときに前記返信用帳票部が前記往信用帳票部の表面側に重なるように当該往信用帳票部と返信用帳票部とを接続していることを特徴とするメールフォーム。
（２）前記往信用帳票部と前記返信用帳票部とは、当初は別体であり、前記接続部は、前記往信用帳票部の表面側の端縁に前記返信用帳票部の該当する端縁側を接着によって接続するものであることを特徴とする（１）に記載のメールフォーム。
（３）前記返信用帳票部は、前記接続部近傍に自己の端縁に平行な切り取り線が設定されていることを特徴とする（１）〜（２）のいずれか一に記載のメールフォーム。
（４）前記返信用帳票部は、前記接続部とは所定距離離隔した部位が前記往信用帳票部裏面の対応部位に剥離可能に弱粘着されていることを特徴とする（１）〜（３）のいずれか一に記載のメールフォーム。
（５）前記往信用帳票部は、前記第３の帳票部に連接する第４の帳票部を更に有し、前記接続部が、該第４の帳票部に設定されていることを特徴とする（１）〜（４）のいずれか一に記載のメールフォーム。
（６）前記返信用帳票部は、一面側が返信用封筒の外表面として用いられ他面側が返信情報記載面として用いられる帳票部を複数連接して構成されていることを特徴とする（１）〜（５）のいずれか一に記載のメールフォーム。
（７）前記第１の帳票部は、前記第２の帳票部とは反対側の端縁に沿ってフラップ部が形成されていることを特徴とする（１）〜（６）のいずれか一に記載のメールフォーム。
（８）前記往信用帳票部及び前記返信用帳票部は、当該折り曲げ予定線で折り曲げられた帳票部同士を貼り付けるために折り曲げ予定線に直交する方向の両側縁部に沿って帯状に各延長して設定された両接着領域と、該両接着領域に沿う内側の位置に延長するようにして形成された切り取りミシン目と、を有していることを特徴とする（１）〜（７）のいず一に記載のメールフォーム。
（９）往信用封筒の外表面として後に折り返されて用いることが予定された先頭の第１の帳票部と該第１の帳票部に連接する第２の帳票部、並びに、該第２の帳票部に連接する第３の帳票部とを少なくとも含む複数の帳票部が夫々折り曲げ予定線を境界にして一方向に連接されて形成される往信用帳票部として加工されるに適合する第１種のシート状体の供給を受け、前記第１種のシート状体の表面側には前記第１の帳票部及び第２の帳票部によって構成される一連の領域の所定部に往信用封筒外面となる印刷を施し、更に、前記第１種のシート状体の裏面側には往信情報記載面としての印刷を施す第１系統の印刷処理部と、
返信用帳票部として加工されるに適合する第２種のシート状体の供給を受け、前記第２種のシート状体の一面側には返信用封筒の外表面となる印刷を施し、更に、前記第２種のシート状体の他面側には返信情報記載面としての印刷を施す第２系統の印刷処理部と、
前記第１系統の印刷処理部で印刷が施された前記第１のシート状体表面側と前記第２系統の印刷処理部で印刷が施された前記第２のシート状体とが対面して重なるように、前記第１のシート状体表面側の前記第３の帳票部以降の帳票部をなす領域の所定の周辺近傍部と前記第２のシート状体の所定の周辺近傍部とを貼着する貼着処理部と、
を含んで構成されていることを特徴とするメールフォーム加工装置。
（１０）往信用封筒の外表面として後に折り返されて用いることが予定された先頭の第１の帳票部と該第１の帳票部に連接する第２の帳票部、並びに、該第２の帳票部に連接する第３の帳票部とを少なくとも含む複数の帳票部が夫々折り曲げ予定線を境界にして一方向に連接されて形成される往信用帳票部として加工されるに適合する第１領域と、該第１領域の前記第３の帳票部以降の一又は複数の帳票部に連接されて形成され且つ返信用帳票部として加工されるに適合する第２領域とを備えたシート状体の供給を受け、前記第１領域の前記第１の帳票部及び第２の帳票部によって構成される一連の領域の表面側に往信用封筒外面となる印刷を施し、前記第１領域の裏面側に往信情報記載面としての印刷を施し、前記第２領域の一面側に返信用封筒の外表面となる印刷を施し且つ他面側に返信情報記載面としての印刷を施す印刷処理部と、
前記印刷処理部で印刷が施されたシート状体を前記返信用帳票部が前記往信用帳票部の表面側に重なるように前記第１領域と第２領域とを両領域の境界で折り返し該折り返された部位に折り曲げ習性を付与する折り曲げ処理部と、
を含んで構成されていることを特徴とするメールフォーム加工装置。
【発明の効果】
【００１９】
往信情報の表記面に対しそれに対応する返信情報の表記面が容易に一覧的に展開され難く直ちには視認され得ない状態をとり得る。従って、受取人側が申し込みを強要されたように感じて内容を確認するまでもなく直ちに廃棄してしまう虞が低減し、ダイレクトメールとして適用された場合等において返信率の向上を図ることができる。
【発明を実施するための最良の形態】
【００２０】
以下、本発明の実施形態を図面を参照して説明する。尚、各図においては、説明の便宜上、技術思想の要点に関わる部分を適宜強調して表現してある。
図１は本発明の一実施形態のメールフォームの往信用帳票部を展開した状態での裏面側とこの往信用帳票部にその端縁に設定された接続部で返信用帳票部が接続された状態を表わす図であり、図２は図１のメールフォームを往信に用いる際に折り畳んで封緘するときの各帳票の重ね合わせ順序を説明するための模式図である。この図２では、説明の便宜のために各部の寸法関係や厳密な位置関係に拘泥せず、専ら重ね合わせの順序を理解し易いように敢えて変形して描いてある。
【００２１】
図３は、図１のメールフォームの往信用帳票部を展開したときの表面側の情報の表記例を表す図であり、図４は、図１のメールフォームの往信用帳票部を展開したときの裏面側の情報の表記例を表す図である。また、図５は、図１のメールフォームの返信用帳票部を展開したときの裏面側の情報の表記例を表す図であり、図６は、図１のメールフォームの返信用帳票部を展開したときの表面側の情報の表記例を表す図である。
【００２２】
図において、この実施形態におけるメールフォーム１は、第１の帳票部１１、第２の帳票部１２、第３の帳票部１３、及び、第４の帳票部１４でなる複数の帳票部が一方向に夫々折り曲げ予定線１０ｄ，１０ｄを境界にして連接されて形成された往信用帳票部１０と、この往信用帳票部１０に第１の帳票部１１とは反対側の端縁（この実施形態では第４の帳票部１４の端縁）に設定された接続部３１で接続された返信用帳票部２０とを有している。返信用帳票部２０は折り曲げ予定線２０ｄを境界にして連接する第５の帳票部２１と第６の帳票部２２とを有する。
【００２３】
そして、往信用帳票部１０及び返信用帳票部２０は、往信時にこのメールフォーム１が巻き折りされて封書を形成し、例えば定型郵便として郵送可能にするために、該当する折り曲げ予定線１０ｄ，１０ｄ，２０ｄで折り曲げられた帳票部同士を貼り付けて往信時にも通信内容を隠蔽しプライバシーの保護が図られるようにすべく折り曲げ予定線１０ｄ，１０ｄ，２０ｄに直交する方向の両側縁部に沿って帯状に各延長して夫々対向面と接着される接着領域１０ａ，１０ａ，２０ａ，２０ａが設定され、更に、受取人側での開封を容易にするべく、これら接着領域に沿う内側の位置に延長するようにして切り取りミシン目１０ｃ，１０ｃ，２０ｃ，２０ｃが施されている。
【００２４】
この実施形態では、接続部３１は、往信用帳票部１０に対して返信用帳票部２０を各折り曲げ予定線１０ｄ，１０ｄで折り曲げられるときの折り曲げ習性に比し相対的に強い折り曲げ習性を伴って接続するようにしている。
上述のように複数の帳票部が一方向に連接されたメールフォーム１（その往信用帳票部１０）の先頭の第１の帳票部１１とこの第１の帳票部１１に折り曲げ予定線１０ｄを境界にして連接する第２の帳票部１２とは、それらの表面側Ｆが往信用封筒の外表面として用いられ裏面側Ｒが往信情報記載面として用いられるように所要の印刷等が施されている。
そして、第１の帳票部１１には第２の帳票部１２とは反対側の端縁の部位に沿って折り曲げ予定線１０ｄを境界にしてフラップ部１１ｆが形成されている。
【００２５】
また本実施形態では、返信用帳票部２０は、第５の帳票部２１とこの第５の帳票部２１に折り曲げ予定線２０ｄを境界にして連接する第６の帳票部２２とを含んで形成され、これら第５の帳票部２１と第６の帳票部２２とを折り曲げ予定線２０ｄで折り曲げ（図５で見て谷折りし）、このように折り曲げられて対向する内面側（図５に図示の面）が合わせられ周囲が適宜に貼着されると外面側（図６に図示の面）が返信用封筒の外表面を形成するようになされている。
【００２６】
上述の実施形態において、接続部３１は、往信用帳票部１０の端縁１４Ｅの部位に、本メールフォーム製造の過程では、当初は別体に形成されていた返信用帳票部２０の該当する端縁側（本例では第５の帳票部２１の端縁２１Ｅ側）表面の接着部２５ａを接着によって接続するようになされている。更に、返信用帳票部２０にはこの接続部３１近傍に自己の端縁に平行なミシン目等による切り取り線２０Ｓが設定されている。
【００２７】
次に、この実施形態のメールフォーム１についてその往信及び返信に際しての用いられ方、並びに、その過程で生じる作用について詳細に説明する。往信用帳票部１０の第１の帳票部１１と第２の帳票部１２とは、図２を参照して容易に理解される通り、両者の境界となる折り曲げ予定線１０ｄで表面側を表す図３で見て山折りに（従って、裏面側を表す図４で見て谷折りに）折り返されて往信時の封書における封筒を形成するので、第１の帳票部１１の表面側には、ダイレクトメール（但し、見掛け上は顧客に対して発行される親展性の高い金融商品の満期や更新の通知といった書状形式をとる往信用封筒表面側）の宛て先が表記され、これに連接する第２の帳票部１２の表面側には、親展性のない通知などの情報が表記され、或いはまた、往信用封筒裏面側をなすため別段の表記がされない。
【００２８】
一方、第１の帳票部１１の裏面側には、例えば、顧客に対して発行される親展性の高い金融商品の満期や更新の通知といったような、往信時の「主情報」が表記され、これに連接する第２の帳票部１２の裏面側には、主情報に関連性のある（或いは、特定の関連を持たない）例えば保険の新商品の紹介といったような或る「副情報（１）」が表記される。
図１のようにメールフォーム１の裏面側を展開したときに、この第２の帳票部１２の裏面側に連接して一覧的に現れる第３の帳票部１３及び第４の帳票部１４の各裏面側には、本例では、これら両帳票部１３，１４に跨る大きな領域に例えば特定の種類の保険に関する案内等の「副情報（２）」が表記される（図４参照）。そして、このような両帳票部１３，１４の表面側にも、両帳票部１３，１４に跨る大きな領域に例えば上記第二の副情報に続く情報である「副情報（２）に続く情報」が表記される（図３参照）。
【００２９】
他方、返信用帳票部２０には、その第５の帳票部２１とこの第５の帳票部２１に折り曲げ予定線２０ｄを境界にして連接する第６の帳票部２２との各裏面側に、両帳票部２１，２２に跨る大きな領域を利用して、既述の副情報に係る保険の加入依頼書の様式（例えば、顧客の手を煩わす記載が最低限で済むように、多くの事項については印字済みのもの）等が表記され、このような第５及び第６の帳票部２１，２２の表面側は、宛て先が印刷済みの返信用封筒の表面側を形成し得るようになされている。
【００３０】
既述のように、本メールフォームの一実施形態では、各別に裁断され印刷される等して用意された往信用帳票部１０と返信用帳票部２０とが接続部３１で接着等によって接続され、図１を参照して容易に理解されるとおり、各帳票部が折り曲げ予定線１０ｄ，１０ｄで折り曲げられるときの折り曲げ習性に比し相対的に強い折り曲げ習性を伴って接続される。
【００３１】
即ち、この接続部３１での折り曲げ習性は、往信用帳票部１０（特にその第４の帳票部１４）の表面側に対して返信用帳票部２０（特にその第５の帳票部２１）の表面側が近接対向し乃至は接触するように接続部３１できつく折り返されるような形態を維持する如くに作用する。既述のとおり、この実施形態では、この折り曲げ習性は、第４の帳票部１４の端縁１４Ｅの部位（その表面側）に、別体に（別紙として）成形しておいた第５の帳票部２１の端縁２１Ｅ（その表面側）を接着することによって実現されている。
【００３２】
しかしながら、このような折り曲げ習性を有する接続部の形成は別々に形成された両帳票部をその後に接着するに替えて、元から一連に連接していたシートを折り返し、折り返されて対向することになる両面間の折り曲げ線に沿う適当な幅の領域を接着することによって形成することもでき、或いはまた、メールフォームに適用するシートの質によっては、敢えて接着するといった処理を施すことなく、他の折り曲げ予定線１０ｄ，１０ｄでの折り曲げに掛ける圧力よりも相対的に強圧で折り曲げておくことによってこのような強い折り曲げ習性を付与してこの習性を維持させることもできる。
【００３３】
何れの場合もこのような接続部が形成された結果、見掛け上は図１のような外観を呈することになる。即ち、この実施形態では、往信用帳票部１０の第４及び第３の帳票部１４，１３の表面側に対して返信用帳票部２０の第５及び第６の帳票部２１，２２の表面側が接触するように重ね合わせられた状態になる。
このメールフォームを往信用に用いるに際しては、このような状態に到ったメールフォーム１を各折り曲げ予定線１０ｄ，１０ｄ（返信用帳票部２０については２０ｄ）で折り曲げ（即ち、図１のような裏面側から見て谷折り、従って、表面側から見ると山折りし）、図２に模式的に示すように接続部３１が相対的に深層に位置するように一連の帳票部を巻き込むように折り畳み、帳票部の上下両側縁部に沿って帯状に各延長して設定された接着領域１０ａ，１０ａ，２０ａ，２０ａで接着し、更に、第１及び第２の帳票部１１，１２によって形成される往信用封筒の開放端側をフラップ部１１ｆで封緘して封書を形成する。
【００３４】
このように形成された封書を受取人において開封し、メールフォーム１を展開する場合の取り扱いについて次に説明する。先ず、切り取りミシン目１０ｃ，１０ｃ，２０ｃ，２０ｃで接着領域１０ａ，２０ａを切り離し、封緘用のフラップ部１１ｆを切ると、このメールフォーム１を展開する直前では、概略、図２に表わされたように一連の帳票部は巻き込んで折り畳まれた状態にあるが、この状態から往信用帳票部１０（その、第１、第２、第３、及び、第４の帳票部１１，１２，１３，１４の裏面側、即ち、封書の内容を記載した面側）を見るべく展開してゆくと、既述のとおり、接続部３１での折り曲げ習性が強く作用しているため、返信用帳票部２０は、往信用帳票部１０に沿って自然に後ろに隠れるように位置することになる。
【００３５】
換言すれば、先ず往信で伝えられる主情報やダイレクトメールとしての新商品の紹介や保険の勧誘等の案内情報等の副情報の表記面を展開すると、それに対応する申込書となる返信情報面は、申し込みのため返信しようとする等の特定の意図を持たずに自然に扱っただけでは、容易には一覧的に展開されて視認され得る状態には到り難い。従って、受取人側が申し込みを強要されたように感じ内容を確認することなく直ちに廃棄するといった行為に出てしまう虞が低減する。
【００３６】
勿論、封緘用のフラップ部１１ｆを切ってメールフォーム１を展開しようとする当初では、一瞬、返信用帳票部２０が露呈するときがあるため、この機会に返信用帳票部２０を一瞥した受取人がそれだけで警戒心を懐き、直ちに廃棄してしまうといった行為に出る虞が皆無であるとは言えない。しかしながら、この実施形態におけるように見掛け上は顧客に対して発行される親展性の高い金融商品の満期や更新の通知を主情報として伝えるといった形式をとっている場合は殊更、一応は往信の内容である情報には目を通すべく、受取人がメールフォームを展開する蓋然性がより高いものと考えられる。
【００３７】
既述のように、この展開によってメールフォーム１は図１に示されたようにその返信用帳票部２０は往信用帳票部１０の後ろに自然に隠れるように位置することになるため、直ちに廃棄されてしまう確率はかなりの度合いで低減するものと推定される。尚、返信用帳票部２０を、接続部３１とは所定距離離隔した部位で往信用帳票部１０裏面の対応部位に剥離可能に弱粘着しておくような構成を採れば、ダイレクトメールとしての新商品の紹介や保険の勧誘等の案内情報の表記面とそれらの申込書となる返信情報面とが一覧的に展開されて視認されることのない状態をより強固に維持できることになる。このため、返信率の阻害要因が除かれ、返信率の向上が期待できる。
【００３８】
一般に、ダイレクトメール等における返信率は極めて低率であることが知られており、従って、仮に従来千通に一通の返信率であったものが、上述のようにして直ちに廃棄されてしまう確率が低減することによって千通に二通の返信率に改善されたとすれば、この種のビジネスとしては極めて画期的なことであり、本発明を適用して期するところもこのようなビジネスにおけるコストパフォーマンスの向上にある。
【００３９】
既述のような副情報を理解して申し込み手続き等の返信を希望する受取人は、往信用帳票部１０から切り取り線２０Ｓで返信用帳票部２０を切り離し、例えば、図５に例示したような返信用帳票部２１，２２の裏面側の様式に所要事項を記入し、折り曲げ予定線２０ｄで返信用帳票部２１，２２の裏面側同士が対面するように谷折りし、対面する両帳票部周囲を適当な幅で糊付けすれば、図６に例示されたそれらの表面側によって返信用の封書が出来上がることになる。従って、この実施形態によれば、返信用封筒を別途に準備したり、別紙のメッセージシートを返信用封筒に入れなくてはならないといった煩雑さからは開放され、且つ、封書であるから当然に返信内容に関するプライバシーの保護も図られ得る。
【００４０】
図７は本発明の他の実施形態のメールフォームの往信用帳票部を展開した状態での裏面側とこの往信用帳票部にその末尾側の帳票部の表面側の一側縁に沿って設定された接続部で返信用帳票部が接続された状態を表す図であり、図８は図７のメールフォームの返信用帳票部を展開したときの裏面側の様子を表す図である。図７及び図８において、既述の図１及び図５との対応部については同一の符号を用いて示し、それら各部の詳細な説明は省略する。
【００４１】
図７の実施形態においても、メールフォーム１００は、第１の帳票部１１、第２の帳票部１２、第３の帳票部１３、及び、第４の帳票部１４でなる複数の帳票部が一方向に夫々折り曲げ予定線１０ｄ，１０ｄを境界にして連接されて往信用帳票部１１０が形成され、第１の帳票部１１に連接してフラップ部１１ｆが形成されているが、自己の表面側が返信用封筒の外表面として用いられ且つ裏面側が返信情報記載面として用いられるようになされた返信用帳票部１２０が往信用帳票部１１０の第３の帳票部１３、及び、第４の帳票部１４の一側縁（図示の例では上方の端縁側）に沿って設定された接続部１３１で接続されている点が図１の実施形態とは異なる。
【００４２】
この接続部１３１は、往信用帳票部１１０に対しその表面側に返信用帳票部１２０の表面側（その接着部１２５ａ）が対向するようにして返信用帳票部１２０を接続するようになされている。図１のものと同様に、往信用帳票部１１０及び返信用帳票部１２０には、折り曲げ予定線１０ｄ，１０ｄ，２０ｄで折り曲げられた帳票部同士を貼り付けるために折り曲げ予定線１０ｄ，１０ｄ，２０ｄに直交する方向の両側縁部に沿って帯状に各延長して接着領域１０ａ，１０ａ，２０ａ，２０ａが設定され、これら接着領域１０ａ，１０ａ，２０ａ，２０ａに沿う内側の位置に延長するようにして切り取りミシン目１０ｃ，１０ｃ，２０ｃ，２０ｃが形成されている。
【００４３】
そして、接続部１３１は、往信用帳票部１１０にその切り取りミシン目２０ｃよりも内側に位置して設定され、且つ、この接続部１３１に沿う内側の位置に延長するようにして帳票部の端縁に平行なミシン目等による切り取り線１２０ｓが設定されている。接続部１３１及び切り取り線１２０ｓが上述のように位置していることによって、メールフォーム１００を往信時の封書の形態にあるところから開封すべく切り取りミシン目１０ｃ，１０ｃ，２０ｃ，２０ｃで接着領域１０ａ，１０ａ，２０ａ，２０ａを切り落としても、これに伴って往信用帳票部１１０から返信用帳票部１２０が直ちに脱落することがなく、且つ、返信時には、切り取り線１２０ｓで返信用帳票部１２０を切り離すことによって図５のものと全く同様に利用することができる。
【００４４】
図７の実施形態では、返信用帳票部１２０が往信用帳票部１１０の第３の帳票部１３及び第４の帳票部１４の上方の端縁側に沿って設定された接続部１３１で接続されているため、往信時の封書の形態から開封され図示のように展開された状態に到る過程での殆どの場面で、返信用帳票部１２０は往信用帳票部１１０の後ろに自然に隠れるように位置することになる。
【００４５】
このため、図１の実施形態に関すると同様に、往信で伝えられる主情報やダイレクトメールとしての新商品の紹介や保険の勧誘等の案内情報等の副情報の表記面を展開すると、それに対応する申込書となる返信情報面は、容易には一覧的に展開されて視認され得る状態に到り難い。従って、受取人側が申し込みを強要されたように感じて内容を確認するまでもなく直ちに廃棄してしまう虞が低減し、返信率の阻害要因が除かれ、返信率の向上が期待できる。
【００４６】
図９は、本発明のメールフォーム加工装置の実施形態を表す図である。本実施形態のメールフォーム加工装置２００は、第１系統の印刷処理部２０１、第２系統の印刷処理部２０２、及び、貼着処理部２０３を少なくとも含んで構成される。後の工程で印刷加工が施された状態が図３及び図４に表されているような第１種のシート状体Ｓ１の供給を受ける第１系統の印刷処理部２０１と、印刷加工が施された状態が図５及び図６に表されているような第２種のシート状体Ｓ２の供給を受ける第２系統の印刷処理部２０２が備えられている。
【００４７】
第１種のシート状体Ｓ１は、往信用封筒の外表面として後に折り返されて用いることが予定された先頭の第１の帳票部１１と該第１の帳票部１１に連接する第２の帳票部１２、並びに、該第２の帳票部１２に連接する第３の帳票部１３とを少なくとも含む複数の帳票部が夫々折り曲げ予定線１０ｄを境界にして一方向に連接されて形成される往信用帳票部１０として加工されるに適合する所定の形状及び寸法並びに質を有し、第２種のシート状体Ｓ２は、返信用帳票部として加工されるに適合する所定の形状及び寸法並びに質を有する。
【００４８】
第１系統の印刷処理部２０１は、上述のように供給される第１種のシート状体Ｓ１に対し、その表面側及び裏面側に夫々印刷処理を施して表面側が図３に及び裏面側が図４に示されたような往信用帳票部１０を中間加工品Ｐ１として作り出し、第２系統の印刷処理部２０２は、上述のように供給される第２種のシート状体Ｓ２に対し、その表面側及び裏面側に夫々印刷処理を施して表面側が図６に及び裏面側が図５に示されたような返信用帳票部２０を中間加工品Ｐ２として作り出す。
【００４９】
尚、第１系統の印刷処理部２０１と第２系統の印刷処理部２０２とは各別に構成されてもよく、或いはまた、同系列の印刷処理機構が第１系統の印刷処理と第２系統の印刷処理とを各別の系統の印刷処理毎に、例えば、時分割的にその動作モードを切り替えて処理を実行するように構成してもよい。
これらの中間加工品Ｐ１及び中間加工品Ｐ２は両者を所定部で貼着する貼着処理部２０３に供給される。貼着処理部２０３では、中間加工品Ｐ１の表面側、従って、第１のシート状体Ｓ１の表面側と、第２のシート状体Ｓ２の一方の面とが対面して重なるように、前記第１のシート状体表面側の前記第３の帳票部１３以降の帳票部をなす領域の所定の周辺近傍部（本例では、図１のように第４の帳票部端縁１４Ｅ近傍の領域）と第２のシート状体表面の所定の周辺近傍部（本例では、図１のように第５の帳票部２１の端縁２１Ｅ近傍の領域）とを貼着して図１に表されたような往信用帳票部１０と返信用帳票部２０とが接続されたメールフォームＭ１を作り出す。このメールフォームＭ１は例えば公知のシート状体折り畳み機３００でダイレクトメールＤＭ１の形態になるように例えば図２にその折り畳み状態が示されたように折り畳まれる。
【００５０】
本実施形態のメールフォーム加工装置２００は、上述の第１系統の印刷処理部２０１、第２系統の印刷処理部２０２、及び、貼着処理部２０３を少なくとも含んで構成されるが、メールフォームＭ１をダイレクトメールＤＭ１の形に折り畳むシート状体折り畳み機３００までを含み、或いは更に、第１系統の印刷処理部２０１、第２系統の印刷処理部２０２に各供給される第１のシート状体Ｓ１、第２のシート状体Ｓ２を、長尺のシート状体から各裁断して作り出す図示しない裁断処理部をも含む装置として構成してもよい。
【００５１】
図１０は、本発明のメールフォーム加工装置の他の実施形態を表す図である。本実施形態のメールフォーム加工装置２１０は、印刷処理部２１１と折り曲げ処理部２１２とを少なくとも含んで構成される。この装置の印刷処理部２１１には、既述の第１種のシート状体Ｓ１に相応する第１領域と第２種のシート状体Ｓ２に相応する第２領域との両領域が連接されたものに適合する所定の形状及び寸法並びに質を有する一のシート状体Ｓ３が供給される。
【００５２】
茲に、第１領域は、後の工程で印刷加工が施された状態が図３及び図４に表されているような、往信用封筒の外表面として後に折り返されて用いることが予定された先頭の第１の帳票部１１と該第１の帳票部１１に連接する第２の帳票部１２、並びに、該第２の帳票部１２に連接する第３の帳票部１３とを少なくとも含む複数の帳票部が夫々折り曲げ予定線１０ｄを境界にして一方向に連接されて形成される往信用帳票部１０として加工されるに適合する所定の形状及び寸法を有し、また、第２領域は、返信用帳票部２０として加工されるに適合する所定の形状及び寸法する。
【００５３】
印刷処理部２１１は、上述のようなシート状体Ｓ３の表面側には、第１領域の前記第１の帳票部１１及び第２の帳票部１２によって構成される一連の領域の所定部に往信用封筒外面となる印刷を施し且つ前記第３の帳票部１３以降の帳票部に往信情報の印刷を施し、更に、第２領域の一部の領域に返信用封筒の外表面となる印刷を施し、また、前記シート状体Ｓ３の裏面側には、第１領域に往信情報記載面としての印刷を施し、更に、前記第２領域に返信情報記載面としての印刷を施す。
【００５４】
折り曲げ処理部２１２は印刷処理部２１１で印刷が施されたシート状体Ｓ３（中間加工品Ｐ３）を返信用帳票部２０が往信用帳票部１０の表面側に重なるように第１領域と第２領域とを両領域の境界で折り返し該折り返された部位に折り曲げ習性を付与して、外観は図１に表されたものと同様な、往信用帳票部１０と返信用帳票部２０とが接続されたメールフォームＭ２を作り出す。
【００５５】
この折り曲げ習性を付与は、折り返されて対向することになる両面間の折り曲げ線に沿う適当な幅の領域を接着することによって形成することもでき、或いはまた、適用するシートの質によっては、敢えて接着するといった処理を施すことなく、強圧で折り曲げておくことによって折り曲げ習性を付与してこの習性を維持させることもできる。
上述のようにして加工が施されたメールフォームＭ２は、例えば公知のシート状体折り畳み機３００でダイレクトメールＤＭ２の形態になるように例えば図２にその折り畳み状態が示されたように折り畳まれる。
【００５６】
尚、本実施形態のメールフォーム加工装置２１０は、上述の印刷処理部２１１及び、折り曲げ処理部２１２とを少なくとも含んで構成されるが、メールフォームＭ２をダイレクトメールＤＭ２の形に折り畳むシート状体折り畳み機３００までを含み、或いは更に、印刷処理部２１１に各供給されるシート状体Ｓ３を長尺のシート状体から裁断して作り出す図示しない裁断処理部をも含む装置として構成してもよい。
【図面の簡単な説明】
【００５７】
【図１】本発明の一実施形態のメールフォームの往信用帳票部を展開した状態での裏面側とこの往信用帳票部にその端縁に設定された接続部で返信用帳票部が接続された状態を表わす図である。
【図２】図１のメールフォームを往信に用いる際に折り畳んで封緘するときの各帳票の重ね合わせ順序を説明するための模式図である。
【図３】図１のメールフォームの往信用帳票部を展開したときの表面側の情報の表記例を表す図である。
【図４】図１のメールフォームの往信用帳票部を展開したときの裏面側の情報の表記例を表す図である。
【図５】図１のメールフォームの返信用帳票部を展開したときの裏面側の情報の表記例を表す図である。
【図６】図１のメールフォームの返信用帳票部を展開したときの表面側の情報の表記例を表すである。
【図７】本発明の他の実施形態のメールフォームの往信用帳票部を展開した状態での裏面側とこの往信用帳票部にその末尾側の帳票部の表面側の一側縁に沿って設定された接続部で返信用帳票部が接続された状態を表す図である。
【図８】図７のメールフォームの返信用帳票部を展開したときの裏面側の様子を表す図である。
【図９】本発明のメールフォーム加工装置の実施形態を表す図である。
【図１０】本発明のメールフォーム加工装置の他の実施形態を表す図である。
【符号の説明】
【００５８】
１…メールフォーム、１０…往信用帳票部、１０ａ…接着領域、１０ｃ…切り取りミシン目、１０ｄ…折り曲げ予定線、１１…第１の帳票部、１１ｆ…フラップ部、１２…第２の帳票部、１３…第３の帳票部、１４…第４の帳票部、１４Ｅ…端縁、２０…返信用帳票部、２０ａ…接着領域、２０ｃ…切り取りミシン目、２０ｄ…折り曲げ予定線、２０ｓ…切り取り線、２１…第５の帳票部、２１Ｅ…端縁、２２…第６の帳票部、２５ａ…接着部、３１…接続部、１００…メールフォーム、１１０…往信用帳票部、１２０…返信用帳票部、１２０ｓ…切り取り線、１２５ａ…接着部、２００…メールフォーム加工装置、２０１…第１系統の印刷処理部、２０２…第２系統の印刷処理部、２０３…貼着処理部、２１０…メールフォーム加工装置、２１１…印刷処理部、２１２…折り曲げ処理部、３００…シート状体折り畳み機
【図１】
2006062315.tif 000003
【図２】
2006062315.tif 000004
【図３】
2006062315.tif 000005
【図４】
2006062315.tif 000006
【図５】
2006062315.tif 000007
【図６】
2006062315.tif 000008
【図７】
2006062315.tif 000009
【図８】
2006062315.tif 000010
【図９】
2006062315.tif 000011
【図１０】
2006062315.tif 000012